(57)【要約】【課題】未使用の溝を埋める工程を必要とするとなく、しかも、施工現場において熱媒流通管の接続の方向を容易に確認することができて、床暖房パネルの据え付け施工を効率よく行うことが可能な熱媒流通管ガイド用パネルおよびそれを用いた施工性に優れ、施工信頼性の高い床暖房パネルを提供する。【解決手段】熱媒流通管２を通過させる溝２２が一方辺２１ａ側の導出端部から対向辺２１ｂ側の導出端部まで、実質的に方向を変えないように配設された第１パネル部Ｐ１と、溝２２が、一方辺３１ａ側の導出端部と直交辺３１ｂ側の導出端部とで、略９０゜方向が変わるように配設された第２パネル部Ｐ２を備えた構成とし、熱媒流通管をヘッダに導く態様に応じて、第１パネル部と第２パネル部のうちのいずれか一方を選択して用いる。  第１パネル部と第２パネル部とを一体に形成するとともに、第１パネル部と第２パネル部の境界部において分割することができるようする。【選択図】図２
2006098032.tif 000002
【特許請求の範囲】
【請求項１】
熱媒を加熱する熱源機と、床に配設されたパネル成形体の間で、熱媒流通管を介して熱媒を循環させることにより床暖房を行う床暖房パネルにおいて、前記熱媒流通管を、パネル成形体に配設されたヘッダに導くための熱媒流通管ガイド用パネルであって、
(ａ)熱源機からヘッダへの往路用の熱媒流通管と、ヘッダから熱源機への復路用の熱媒流通管の、一対の熱媒流通管（以下「熱媒流通管」）を通過させる一対の溝（以下「溝」）が配設された第１パネル部であって、前記溝が、一方辺側の導出端部から、該一方辺と対向する対向辺側の導出端部まで、実質的に方向を変えないような態様で配設され、前記一方辺側の導出端部から導出される熱媒流通管がヘッダに接続されるヘッダ接続側となり、前記対向辺側の導出端部から導出される熱媒流通管が熱源機に至る熱源機側となるように構成された第１パネル部と、
(ｂ)熱源機からヘッダへの往路用の熱媒流通管と、ヘッダから熱源機への復路用の熱媒流通管の、一対の熱媒流通管（以下「熱媒流通管」）を通過させる一対の溝（以下「溝」）が配設された第２パネル部であって、前記溝が、一方辺側の導出端部と、該一方辺と略直交する直交辺側の導出端部とで、略９０゜方向が変わるような態様で配設され、前記一方辺側の導出端部から導出される熱媒流通管がヘッダに接続されるヘッダ接続側となり、前記直交辺側の導出端部から導出される熱媒流通管が熱源機に至る熱源機側となるように構成された第２パネル部と
を具備し、
熱媒流通管をパネル成形体に配設されたヘッダに導く態様に応じて、第１パネル部と第２パネル部のうちのいずれか一方を選択して用いるように構成されていること
を特徴とする熱媒流通管ガイド用パネル。
【請求項２】
前記第１パネル部と前記第２パネル部とが一体に形成され、第１パネル部と第２パネル部の境界部において分割することができるように構成されていることを特徴とする請求項１記載の熱媒流通管ガイド用パネル。
【請求項３】
前記第１パネル部および第２パネル部は、前記パネル成形体に形成されたパネル成形体側係合部と係合する係合構造部を備えており、該係合構造部が前記パネル成形体側係合部と係合することにより、第１パネル部および第２パネル部と、前記パネル成形体の位置関係が定まるように構成されていることを特徴とする請求項１または２記載の熱媒流通管ガイド用パネル。
【請求項４】
前記第１パネル部または第２パネル部を、前記パネル成形体と係合させた場合における全体形状が設計形状となるように、前記第１パネル部および第２パネル部に、所定の領域を分割して除去することができるように分割用予備加工が施されていることを特徴とする請求項１〜３のいずれかに記載の熱媒流通管ガイド用パネル。
【請求項５】
前記第１パネル部または前記第２パネル部に、熱媒流通管を前記第１パネル部または前記第２パネル部を介して前記ヘッダに導くための他のガイド用パネルを係合させて使用するように構成されており、かつ、前記第１パネル部および、前記第２パネル部には、前記他のガイド用パネルと係合する係合部を備えているか、または該係合部を設けることができるように分割用予備加工が施されていることを特徴とする請求項１〜４のいずれかに記載の熱媒流通管ガイド用パネル。
【請求項６】
前記他のガイド用パネルとして、
(ａ)一辺側（第１の辺側）の導出端部から、該第１の辺と直交する辺側の導出端部に至るように、略９０゜方向が変わるような態様で熱媒流通管を通過させる溝が配設された構造を有するガイド用パネルと、
(ｂ)一方辺側の導出端部から、該一方辺と対向する対向辺側の導出端部まで、実質的に方向を変えないような態様で熱媒流通管を通過させる溝が配設された構造を有するガイド用パネルと
を組み合わせて使用するか、または前記(ａ)および(ｂ)のガイド用パネルのいずれか一方を用いることを特徴とする請求項５記載の熱媒流通管ガイド用パネル。
【請求項７】
熱媒を加熱する熱源機と、床に配設されたパネル成形体の間で、熱媒流通管を介して熱媒を循環させることにより床暖房を行う床暖房パネルであって、
(ａ)請求項１〜４のいずれかに記載の熱媒流通管ガイド用パネルと、
(ｂ)表面に形成された、熱媒流通管を通過させる溝と、周辺部近傍に配設された、熱媒流通管が接続されるヘッダと、ヘッダの近傍領域に形成された、前記熱媒流通管ガイド用パネルが係合する係合構造部とを備えたパネル成形体と
を具備し、
熱源機とパネル成形体の間で熱媒を循環させる熱媒流通管が、前記熱媒流通管ガイド用パネルを構成する第１パネル部または第２パネル部により案内されて前記ヘッダに接続されるように構成されていること
を特徴とする床暖房パネル。
【請求項８】
熱媒を加熱する熱源機と、床に配設されたパネル成形体の間で、熱媒流通管を介して熱媒を循環させることにより床暖房を行う床暖房パネルであって、
(ａ)請求項５または６記載の熱媒流通管ガイド用パネルと、
(ｂ)請求項５または６において用いられている、熱媒流通管を前記第１パネル部または前記第２パネル部を介して前記パネル成形体のヘッダに導くための他のガイド用パネルと、
(ｃ)表面に形成された、熱媒流通管を通過させる溝と、周辺部近傍に配設された、熱媒流通管が接続されるヘッダと、ヘッダの近傍領域に形成された、前記熱媒流通管ガイド用パネルが係合する係合構造部とを備えたパネル成形体と
を具備し、
熱源機とパネル成形体の間で熱媒を循環させる熱媒流通管が、前記熱媒流通管ガイド用パネルを構成する第１パネル部または第２パネル部と、前記他のガイド用パネルを介して案内され、前記ヘッダに接続されるように構成されていること
を特徴とする床暖房パネル。
【発明の詳細な説明】
【技術分野】
【０００１】
本願発明は、熱媒を加熱する熱源機と、床に配設されたパネル成形体の間で、熱媒流通管を介して熱媒を循環させることにより床暖房を行う床暖房パネルにおいて、熱媒流通管をパネル成形体に組み込まれたヘッダに導くための熱媒流通管ガイド用パネルおよび、該熱媒流通管ガイド用パネルを用いた床暖房パネルに関する。
【背景技術】
【０００２】
近年、暖房設備の一つとして、床暖房パネルが広く利用されるに至っている。この床暖房パネルは、例えば、発泡樹脂製の板状体（パネル成形体）の一方面側に熱媒流通管を通すための配管溝を形成し、この配管溝に熱媒流通管を埋設し、その表面をアルミニウム箔などの放熱シートで被覆した構造のものが提案されている。
【０００３】
ところで、このような床暖房パネルにおいて、熱媒流通管は、通常、パネル成形体に取り付けられたヘッダを介してパネル成形体に接続されている。
熱媒流通管は、熱源機とヘッダとの間を最短距離で接続できるように配設することが望ましいが、実際には、熱源機の設置位置、パネル成形体が配設される部屋の場所、パネル成形体に取り付けられるヘッダの位置、パネル成形体の枚数、連絡管を湾曲させる際の最小曲率半径などに応じて、Ｌ字状、Ｕ字状などの種々の態様で曲折した状態で配設されることになる。
【０００４】
一方、熱媒流通管をこのような種々の態様でヘッダに接続しようとすると、熱媒流通管をヘッダに案内するための熱媒流通管ガイド用パネルが必要となり、従来の床暖房パネルにおいても種々の熱媒流通管ガイド用パネルが用いられている。
【０００５】
しかしながら、熱媒流通管をヘッダに接続するにあたっては、上述のように種々の態様で熱媒流通管を曲折させて配設することが必要であり、それに対応する熱媒流通管ガイド用パネルを用意しようとすると、多種類の熱媒流通管ガイド用パネルを用意しておくことが必要となったり、多数の部材を準備しておくことが必要になったりするという問題点があり、その作製、保管、輸送なども煩雑になるという問題点がある。
【０００６】
そこで、このような問題点を解決する目的で、熱源機に接続された熱媒流通管をヘッダに導くための連絡管ガイド用パネルとして、例えば、図１１に示すように、表面に、熱媒流通管５２が埋設される溝（案内溝）６２（６２ａ，６２ｂ）を、異なる複数の方向からヘッダ５３の接続部５４に集めることができるような態様で形成することにより、熱媒流通管５２の複数種類の配設態様に対応できるようにした熱媒流通管ガイド用パネル５１が提案されている（特許文献１参照）。
なお、図１１の構成では、溝６２ａ，６２ｂは、溝６２を途中で２つに分岐させることにより形成されている。
【０００７】
そして、上述のように構成された熱媒流通管ガイド用パネルでは、溝６２ａは、熱媒流通管５２を、図１１の左側からヘッダ５３にまっすぐに導く機能を果たし、溝６２ｂは、熱媒流通管５２を、図１１の上方から、角度を９０°振ってヘッダ５３に導く機能を果たす。
【０００８】
したがって、この熱媒流通管ガイド用パネル５１を用いることにより、複数の方向から熱媒流通管５２をヘッダ５３に接続する場合に対応することが可能になる。
【０００９】
しかしながら、上記従来の方法の場合、熱媒流通管ガイド用パネルには、複数の方向から一箇所へ集約されるような態様で溝が刻設されており、熱媒流通管が収容されていない溝が存在している状態で仕上材を施工した場合、溝部への集中荷重により、仕上材表面に段差が生じるおそれがあり、使用しない溝を埋める工程が必要になる。具体的には、従来は、専用の溝埋めパーツを用いて、熱媒流通管が収容されていない溝を埋めるようにしている。そのため、施工現場での作業量が多くなり、施工効率が低下するという問題点がある。
【００１０】
また、複数の方向からの熱媒流通管５２（５２ａ）および５２（５２ｂ）を、途中で分岐した溝６２ａおよび６２ｂと、溝６２ａ，６２ｂが合流した溝６２を介して、ヘッダ５３の接続部５４に導くように構成しているため、施工現場において熱媒流通管の接続の方向がわかりにくい（すなわち、熱媒流通管５２をはめ込む際に、例えば、溝６２ａにはめ込むべき熱媒流通管５２が、溝６２ｂにはめ込まれてしまう場合がある）という問題点がある。
【特許文献１】特開２００２−２２８１６８号公報
【発明の開示】
【発明が解決しようとする課題】
【００１１】
本願発明は、未使用の溝を埋める工程を必要とするとなく、しかも、施工現場において熱媒流通管の接続の方向を容易に確認することができて、床暖房パネルの据え付け施工を効率よく行うことが可能な熱媒流通管ガイド用パネルおよびそれを用いた施工性に優れ、施工信頼性の高い床暖房パネルを提供することを課題とする。
【課題を解決するための手段】
【００１２】
上記課題を解決するために、本願発明（請求項１）の熱媒流通管ガイド用パネルは、
熱媒を加熱する熱源機と、床に配設されたパネル成形体の間で、熱媒流通管を介して熱媒を循環させることにより床暖房を行う床暖房パネルにおいて、前記熱媒流通管を、パネル成形体に配設されたヘッダに導くための熱媒流通管ガイド用パネルであって、
(ａ)熱源機からヘッダへの往路用の熱媒流通管と、ヘッダから熱源機への復路用の熱媒流通管の、一対の熱媒流通管（以下「熱媒流通管」）を通過させる一対の溝（以下「溝」）が配設された第１パネル部であって、前記溝が、一方辺側の導出端部から、該一方辺と対向する対向辺側の導出端部まで、実質的に方向を変えないような態様で配設され、前記一方辺側の導出端部から導出される熱媒流通管がヘッダに接続されるヘッダ接続側となり、前記対向辺側の導出端部から導出される熱媒流通管が熱源機に至る熱源機側となるように構成された第１パネル部と、
(ｂ)熱源機からヘッダへの往路用の熱媒流通管と、ヘッダから熱源機への復路用の熱媒流通管の、一対の熱媒流通管（以下「熱媒流通管」）を通過させる一対の溝（以下「溝」）が配設された第２パネル部であって、前記溝が、一方辺側の導出端部と、該一方辺と略直交する直交辺側の導出端部とで、略９０゜方向が変わるような態様で配設され、前記一方辺側の導出端部から導出される熱媒流通管がヘッダに接続されるヘッダ接続側となり、前記直交辺側の導出端部から導出される熱媒流通管が熱源機に至る熱源機側となるように構成された第２パネル部と
を具備し、
熱媒流通管をパネル成形体に配設されたヘッダに導く態様に応じて、第１パネル部と第２パネル部のうちのいずれか一方を選択して用いるように構成されていること
を特徴としている。
【００１３】
また、請求項２の熱媒流通管ガイド用パネルは、請求項１の熱媒流通管ガイド用パネルの構成において、前記第１パネル部と前記第２パネル部とが一体に形成され、第１パネル部と第２パネル部の境界部において分割することができるように構成されていることを特徴としている。
【００１４】
また、請求項３の熱媒流通管ガイド用パネルは、請求項１または２の熱媒流通管ガイド用パネルの構成において、前記第１パネル部および第２パネル部は、前記パネル成形体に形成されたパネル成形体側係合部と係合する係合構造部を備えており、該係合構造部が前記パネル成形体側係合部と係合することにより、第１パネル部および第２パネル部と、前記パネル成形体の位置関係が定まるように構成されていることを特徴としている。
【００１５】
また、請求項４の熱媒流通管ガイド用パネルは、請求項１〜３のいずれかに記載の熱媒流通管ガイド用パネルの構成において、前記第１パネル部または第２パネル部を、前記パネル成形体と係合させた場合における全体形状が設計形状となるように、前記第１パネル部および第２パネル部に、所定の領域を分割して除去することができるように分割用予備加工が施されていることを特徴としている。
【００１６】
また、請求項５の熱媒流通管ガイド用パネルは、請求項１〜４のいずれかに記載の熱媒流通管ガイド用パネルの構成において、前記第１パネル部または前記第２パネル部に、熱媒流通管を前記第１パネル部または前記第２パネル部を介して前記ヘッダに導くための他のガイド用パネルを係合させて使用するように構成されており、かつ、前記第１パネル部および、前記第２パネル部には、前記他のガイド用パネルと係合する係合部を備えているか、または該係合部を設けることができるように分割用予備加工が施されていることを特徴している。
【００１７】
また、請求項６の熱媒流通管ガイド用パネルは、請求項５記載の熱媒流通管ガイド用パネルの構成において、
前記他のガイド用パネルとして、
(ａ)一辺側（第１の辺側）の導出端部から、該第１の辺と直交する辺側の導出端部に至るように、略９０゜方向が変わるような態様で熱媒流通管を通過させる溝が配設された構造を有するガイド用パネルと、
(ｂ)一方辺側の導出端部から、該一方辺と対向する対向辺側の導出端部まで、実質的に方向を変えないような態様で熱媒流通管を通過させる溝が配設された構造を有するガイド用パネルと
を組み合わせて使用するか、または前記(ａ)および(ｂ)のガイド用パネルのいずれか一方を用いることを特徴としている。
【００１８】
また、本願発明（請求項７）の床暖房パネルは、
熱媒を加熱する熱源機と、床に配設されたパネル成形体の間で、熱媒流通管を介して熱媒を循環させることにより床暖房を行う床暖房パネルであって、
(ａ)請求項１〜４のいずれかに記載の熱媒流通管ガイド用パネルと、
(ｂ)表面に形成された、熱媒流通管を通過させる溝と、周辺部近傍に配設された、熱媒流通管が接続されるヘッダと、ヘッダの近傍領域に形成された、前記熱媒流通管ガイド用パネルが係合する係合構造部とを備えたパネル成形体と
を具備し、
熱源機とパネル成形体の間で熱媒を循環させる熱媒流通管が、前記熱媒流通管ガイド用パネルを構成する第１パネル部または第２パネル部により案内されて前記ヘッダに接続されるように構成されていること
を特徴としている。
【００１９】
また、本願発明（請求項８）の床暖房パネルは、
熱媒を加熱する熱源機と、床に配設されたパネル成形体の間で、熱媒流通管を介して熱媒を循環させることにより床暖房を行う床暖房パネルであって、
(ａ)請求項５または６記載の熱媒流通管ガイド用パネルと、
(ｂ)請求項５または６において用いられている、熱媒流通管を前記第１パネル部または前記第２パネル部を介して前記パネル成形体のヘッダに導くための他のガイド用パネルと、
(ｃ)表面に形成された、熱媒流通管を通過させる溝と、周辺部近傍に配設された、熱媒流通管が接続されるヘッダと、ヘッダの近傍領域に形成された、前記熱媒流通管ガイド用パネルが係合する係合構造部とを備えたパネル成形体と
を具備し、
熱源機とパネル成形体の間で熱媒を循環させる熱媒流通管が、前記熱媒流通管ガイド用パネルを構成する第１パネル部または第２パネル部と、前記他のガイド用パネルを介して案内され、前記ヘッダに接続されるように構成されていること
を特徴としている。
【発明の効果】
【００２０】
本願発明（請求項１）の熱媒流通管ガイド用パネルは、熱源機とパネル成形体の間で熱媒を循環させる熱媒流通管を、パネル成形体に配設されたヘッダに導くためのものであって、熱媒流通管を通過させる溝が、一方辺側の導出端部から、該一方辺と対向する対向辺側の導出端部まで、実質的に方向を変えないように配設され、一方辺側の導出端部から導出される熱媒流通管がヘッダに接続されるヘッダ接続側となり、対向辺側の導出端部から導出される熱媒流通管が熱源機に至る熱源機側となるように構成された第１パネル部と、熱媒流通管を通過させる溝が、一方辺側の導出端部と、該一方辺と略直交する直交辺側の導出端部とで、略９０゜方向が変わるような態様で配設され、一方辺側の導出端部から導出される熱媒流通管がヘッダに接続されるヘッダ接続側となり、直交辺側の導出端部から導出される熱媒流通管が熱源機に至る熱源機側となるように構成された第２パネル部と備え、熱媒流通管をパネル成形体のヘッダに導く態様に応じて、第１パネル部と第２パネル部のうちのいずれか一方を選択して用い、第１パネル部または第２パネル部に形成された所定の溝に熱媒流通管をはめ込むだけで、熱媒流通管を、容易かつ確実に対向辺または直交辺側の導出端部から一方辺側の導出端部を経てヘッダに導くことが可能になる。
【００２１】
したがって、上述のように構成された第１パネル部と第２パネル部を備えた本願発明の熱媒流通管ガイド用パネルを用いることにより、従来の熱媒流通管ガイド用パネルを用いる場合のように、未使用の溝を埋める工程を必要としたりすることなく、効率よく床暖房パネルの据え付け施工を行うことが可能になる。
【００２２】
また、請求項２の熱媒流通管ガイド用パネルのように、第１パネル部と第２パネル部とを一体に形成し、第１パネル部と第２パネル部の境界部において分割することができるように構成した場合、用意すべき部品の点数を減らすことが可能になり、製造、保管、搬送などの工程を簡略化することが可能になる。
【００２３】
また、第１パネル部および第２パネル部には熱媒流通管を通過させるための溝が形成されているため強度の弱い部分があるが、第１パネル部と第２パネル部を一体に形成することにより、機械的強度を向上させて、製造工程や搬送工程などにおける折損などを抑制、防止して、信頼性を向上させることが可能になる。
【００２４】
また、請求項３の熱媒流通管ガイド用パネルのように、第１パネル部および第２パネル部が、パネル成形体に形成されたパネル成形体側係合部と係合する係合構造部を備えた構成とした場合、第１パネル部または第２パネル部の係合構造部をパネル成形体側係合部と係合させるだけで、第１パネル部および第２パネル部と、パネル成形体の位置関係が定まるため、施工現場において熱媒流通管の接続の方向を容易に確認することが可能になり、信頼性の高い床暖房パネルの据え付け施工を効率よく行うことが可能になる。
【００２５】
また、請求項４の熱媒流通管ガイド用パネルのように、第１パネル部または第２パネル部を、パネル成形体と係合させた場合における全体形状が設計形状（意図する形状）となるように、第１パネル部または第２パネル部に、所定の領域を分割して除去することができるように分割用予備加工を施しておくことにより、例えば、パネル成形体と係合させた第１パネル部または第２パネル部の一部が突出して、他のパネル成形体と突き合わせができなくなったり、他の部材との干渉が生じたりすることを防止して、確実で信頼性の高い床暖房パネルの据え付け施工を行うことが可能になる。
なお、本願発明において、分割用予備加工の態様としては、分割されることになる部分に溝を形成する加工や、分割すべき領域に沿って、所定のピッチで穴を形成する加工などが例示されるが、これに限られるものではない。
【００２６】
また、請求項５の熱媒流通管ガイド用パネルは、第１パネル部または第２パネル部に、熱媒流通管を第１パネル部または第２パネル部を介してヘッダに導くための他のガイド用パネルを係合させて使用するように構成されており、かつ、第１パネル部および、第２パネル部には、上記他のガイド用パネルと係合する係合部を備えているか、または該係合部を設けることができるように分割用予備加工が施されているので、上記他のガイド用パネルを使用する場合にも、上記係合部に、上記他のガイド用パネルを確実に係合させて使用することが可能で、信頼性の高い床暖房パネルの据え付け施工を確実に行うことが可能になる。
【００２７】
また、請求項６の熱媒流通管ガイド用パネルは、他のガイド用パネルとして、  (ａ)一辺側（第１の辺側）の導出端部から、該第１の辺と直交する辺側の導出端部に至るように、略９０゜方向が変わるような態様で熱媒流通管を通過させる溝が配設された構造を有するガイド用パネルと、(ｂ)一方辺側の導出端部から、該一方辺と対向する対向辺側の導出端部まで、実質的に方向を変えないような態様で熱媒流通管を通過させる溝が配設された構造を有するガイド用パネルとを組み合わせて使用するか、または(ａ)および(ｂ)のガイド用パネルのいずれか一方を用いるようにしているので、複数の方向からの熱媒流通管を、容易かつ確実にヘッダに導くことが可能になり、効率よく信頼性の高い床暖房パネルの施工を行うことが可能になる。
【００２８】
また、本願発明（請求項７）の床暖房パネルは、(ａ)請求項１〜４のいずれかに記載の熱媒流通管ガイド用パネルと、(ｂ)表面に形成された、熱媒流通管を通過させる溝と、周辺部近傍に配設された、熱媒流通管が接続されるヘッダと、ヘッダの近傍領域に形成された、前記熱媒流通管ガイド用パネルが係合する係合構造部とを備えたパネル成形体とを備えているので、熱媒流通管を、熱媒流通管ガイド用パネルを構成する第１パネル部または第２パネル部により案内して、パネル成形体のヘッダに接続することが可能であり、従来の熱媒流通管ガイド用パネルを用いる場合のように、未使用の溝を埋める工程を必要としたりすることがなく、施工作業が容易で、しかも施工信頼性の高い床暖房パネルを提供することが可能になる。
【００２９】
また、本願発明（請求項８）の床暖房パネルのように、(ａ)請求項５または６記載の熱媒流通管ガイド用パネルと、(ｂ)請求項５または６において用いられている、熱媒流通管を第１パネル部または第２パネル部を介してパネル成形体のヘッダに導くための他のガイド用パネルと、(ｃ)表面に形成された、熱媒流通管を通過させる溝と、周辺部近傍に配設された、熱媒流通管が接続されるヘッダと、ヘッダの近傍領域に形成された、熱媒流通管ガイド用パネルが係合する係合構造部とを備えたパネル成形体とを備えた構成とした場合、熱媒流通管を、熱媒流通管ガイド用パネルを構成する第１パネル部または第２パネル部と、上記他のガイド用パネルを介してヘッダに案内することが可能になるため、複数の方向からの熱媒流通管を、容易かつ確実にヘッダに導くことが可能になり、効率よく信頼性の高い施工を行うことが可能な床暖房パネルを提供することが可能になる。
【実施例１】
【００３０】
以下に本願発明の実施例を示して、本願発明の特徴とするところをさらに詳しく説明する。
【００３１】
図１は本願発明の熱媒流通管ガイド用パネルが用いられる床暖房パネルの要部構成を示す平面図であり、図２は本願発明の一実施例（実施例１）にかかる熱媒流通管ガイド用パネルを示す図であり、(ａ)は平面図、(ｂ)は矢印Ａの方向から見た側面図、(ｃ)は矢印Ｂの方向から見た側面図である。
また、図３〜図８は本願発明の一実施例（実施例１）にかかる熱媒流通管ガイド用パネルを用いて熱媒流通管をパネル成形体のヘッダに接続した状態を示す図である。
【００３２】
この実施例１の床暖房パネルは、熱媒を加熱する熱源機と、床に配設されたパネル成形体の間で、熱媒流通管を介して熱媒を循環させることにより床暖房を行う床暖房パネルであって、図１に示すように、その表面に、熱媒流通管２を通過させる溝１２が形成された、発泡樹脂製の成形体用パネル本体１と、成形体用パネル本体１の周辺部近傍に設けられた、熱媒流通管２が接続されるヘッダ３とを備えたパネル成形体（温水パネル）１０と、例えば、図３〜８に示すように、種々の態様で、熱媒流通管２をヘッダ３に導いて、ヘッダ３の接続部４に確実に接続できるようにするための熱媒流通管ガイド用パネル２０（図２）を備えている。
【００３３】
そして、この床暖房パネルにおいて、パネル成形体（温水パネル）１０を構成する成形体用パネル本体１のヘッダ３が設けられた領域の近傍には、上記熱媒流通管ガイド用パネル２０の少なくとも一部がはまり込むように配設される切欠き部５と、熱媒流通管ガイド用パネル２０の係合構造部（係合用突起）３２と係合する係合構造部として機能する凹部（パネル成形体側係合構造部）６が形成されている。
【００３４】
また、熱媒流通管ガイド用パネル２０は、発泡樹脂製のガイド用パネル本体２１に分割用予備加工を施すことにより形成された分割溝（第１分割溝）３０に沿って分割することにより、第１パネル部Ｐ１と第２パネル部Ｐ２とに分割されるように構成されている。
【００３５】
そして、第１パネル部Ｐ１は、発泡樹脂製のガイド用パネル本体２１の表面に、熱源機（図示せず）からヘッダ３への往路用の熱媒流通管２（２ａ）と、ヘッダ３から熱源機への復路用の熱媒流通管２（２ｂ）の、一対の熱媒流通管（以下、単に「熱媒流通管」という）を通過させる一対の溝（以下、単に「溝」という）２２（図２）が、一方辺２１ａ側の導出端部から、該一方辺２１ａと対向する対向辺２１ｂ側の導出端部まで、実質的に方向を変えないように配設され、例えば、図３に示すように、一方辺２１ａ側の導出端部から導出される熱媒流通管２（２ａ）がヘッダ３に接続されるヘッダ接続側となり、対向辺２１ｂ側の導出端部から導出される熱媒流通管２（２ｂ）が熱源機に至る熱源機側となるように構成されている。
【００３６】
また、第２パネル部Ｐ２は、図２や、例えば図６などに示すように熱媒流通管２を通過させる溝２２が、一方辺３１ａ側の導出端部から、該一方辺３１ａと略直交する直交辺３１ｂ側の導出端部まで、略９０゜方向が変わるような態様で配設され、一方辺３１ａ側の導出端部から導出される熱媒流通管２（２ａ）がヘッダ３に接続されるヘッダ接続側となり、直交辺３１ｂ側の導出端部から導出される熱媒流通管２（２ｂ）が熱源機に至る熱源機側となるように構成されている。
【００３７】
また、第１パネル部Ｐ１および第２パネル部Ｐ２は、パネル成形体１０に形成されたパネル成形体側係合構造部６と係合する係合構造部（係合用突起）３２を備えており、該係合構造部３２がパネル成形体側係合構造部６と係合することにより、第１パネル部Ｐ１および第２パネル部Ｐ２と、パネル成形体１０の位置関係が確実に定まるように構成されている。
【００３８】
さらに、第１パネル部Ｐ１または第２パネル部Ｐ２を、パネル成形体１０と係合させた場合における全体形状が設計形状となるように、第１パネル部Ｐ１および第２パネル部Ｐ２には、所定の領域を分割して除去することができるように分割用予備加工（すなわち、下記の第２分割溝４０を形成するための加工）が施されており、第１パネル部Ｐ１には、第２分割溝４０（４０ａ，４０ｂ）が形成され、第２パネル部Ｐ２には、第２分割溝４０（４０ｃ，４０ｄ，４０ｅ）が形成されている。
なお、この実施例の構成においては、第２分割溝４０ｄ，４０ｅに沿って分割されて形成される辺が第２パネル部Ｐ２の一方辺３１ａと略直交する直交辺３１ｂとなる場合がある。
【００３９】
また、この実施例１においては、第１パネル部Ｐ１または第２パネル部Ｐ２に、熱媒流通管２を第１パネル部または第２パネル部を介してパネル成形体１０に配設されたヘッダ３に導くための他のガイド用パネル４１を係合させて使用するように構成されており、第１パネル部Ｐ１および第２パネル部Ｐ２に形成された第２分割溝４０は、他のガイド用パネル４１と係合する係合部４３を設けることができるようにするための分割用予備加工部としても機能するように構成されている。
【００４０】
また、この実施例１では、他のガイド用パネル４１として、方形で、一辺側（第１の辺側）の導出端部から、該第１の辺と直交する辺側の導出端部に至るように、略９０゜方向が変わるような態様で熱媒流通管を通過させる溝（１／４円弧状の溝）４２が配設された構造を有するガイド用パネル４１（４１ａ）と、一方辺側の導出端部から、一方辺と対向する対向辺側の導出端部まで、実質的に方向を変えないような態様で熱媒流通管を通過させる溝４２が配設された構造を有するガイド用パネル４１（４１ｂ）の少なくとも一方を用いることができるように構成されている。
【００４１】
次に、上述のように構成された熱媒流通管ガイド用パネル２０および他のガイド用パネル４１（４１ａ，４１ｂ）を用いて、熱媒流通管２を、パネル成形体１０に配設されたヘッダ３に接続する方法について、図３〜図８を参照しつつ説明する。なお、図３〜図８において、互いに同一符号を付した部分は、同一または相当する部分を示している。
【００４２】
図３は、熱媒流通管ガイド用パネル２０を、第１分割溝３０で分割して第１パネル部Ｐ１と第２パネル部Ｐ２に分割した状態の第１パネル部Ｐ１を用いて熱媒流通管２をパネル成形体１０のヘッダ３に接続した状態を示す図である。
この図３に示す接続態様の場合、一方辺２１ａ側の導出端部から導出される熱媒流通管２（２ａ）がヘッダ３に接続されるヘッダ接続側となり、対向辺２１ｂ側の導出端部から導出される熱媒流通管２（２ｂ）が熱源機に至る熱源機側となっており、熱媒流通管２（２ａ，２ｂ）が一方辺２１ａ側と対向辺２１ｂ側とで方向を変えることなくヘッダ３と接続されている。
【００４３】
なお、この接続態様の場合、第１パネル部Ｐ１の係合部（係合部として機能する凹部）４３に、一方辺側の導出端部から、一方辺と対向する対向辺側の導出端部まで、実質的に方向を変えないような態様で熱媒流通管を通過させる溝４２が配設された構造を有する他のガイド用パネル４１（４１ｂ）（図４参照）を係合させるように構成することも可能である。
【００４４】
図４は、熱媒流通管ガイド用パネル２０を、第１分割溝３０で分割して第１パネル部Ｐ１と第２パネル部Ｐ２に分割し、第１パネル部Ｐ１を、第２分割溝４０（４０ａ）で分割して不要部分を除去したもの（第１パネル部Ｐ１）を用い、熱媒流通管２をパネル成形体１０のヘッダ３に接続した状態を示す図である。
【００４５】
この図４に示す接続態様の場合、係合部４３には、方形で、一辺側（第１の辺側）の導出端部から、該第１の辺と直交する辺側の導出端部に至るように、略９０゜方向が変わるような態様で熱媒流通管を通過させる溝（１／４円弧状の溝）４２が配設された構造を有するガイド用パネル４１（４１ａ）と、ガイド用パネル４１ａの一方辺側の導出端部から、一方辺と対向する対向辺側の導出端部まで、実質的に方向を変えないような態様で熱媒流通管を通過させる溝４２が配設された構造を有するガイド用パネル４１（４１ｂ）が組み合わせて使用されており、熱媒流通管２（２ａ，２ｂ）は９０゜右側に向きを変えて熱源機側に導かれている。
【００４６】
また、図５は、熱媒流通管ガイド用パネル２０を、第１分割溝３０で分割して第１パネル部Ｐ１と第２パネル部Ｐ２に分割し、第１パネル部Ｐ１を、第２分割溝４０（４０ｂ）で分割して不要部分を除去したもの（第１パネル部Ｐ１）を用い、熱媒流通管２をパネル成形体１０のヘッダ３に接続した状態を示す図である。
【００４７】
この図５に示す接続態様の場合、係合部４３には、方形で、一辺側（第１の辺側）の導出端部から、該第１の辺と直交する辺側の導出端部に至るように、略９０゜方向が変わるような態様で熱媒流通管を通過させる溝（１／４円弧状の溝）４２が配設された構造を有するガイド用パネル４１（４１ａ）と、ガイド用パネル４１ａの一方辺側の導出端部から、一方辺と対向する対向辺側の導出端部まで、実質的に方向を変えないような態様で熱媒流通管を通過させる溝４２が配設された構造を有するガイド用パネル４１（４１ｂ）が組み合わせて使用されており、熱媒流通管２（２ａ，２ｂ）は９０゜左側に向きを変えて熱源機側に導かれている。
【００４８】
また、図６は、熱媒流通管ガイド用パネル２０を、第１分割溝３０で分割して第１パネル部Ｐ１と第２パネル部Ｐ２に分割した状態の第２パネル部Ｐ２を用いて熱媒流通管２をパネル成形体１０のヘッダ３に接続した状態を示す図である。
【００４９】
この図６に示す接続態様の場合、一方辺３１ａ側の導出端部から導出される熱媒流通管２（２ａ）がヘッダ３に接続されるヘッダ接続側となり、直交辺３１ｂ側の導出端部から導出される熱媒流通管２（２ｂ）が熱源機に至る熱源機側となっており、熱媒流通管２（２ａ，２ｂ）は、一方辺３１ａ側と直交辺３１ｂ側とで方向が９０゜変わる（左側に向きを変える）ようにヘッダ３と接続されている。
【００５０】
なお、この接続態様の場合、第２パネル部Ｐ２の直交辺３１ｂ側に、一方辺側の導出端部から、一方辺と対向する対向辺側の導出端部まで、実質的に方向を変えないような態様で熱媒流通管を通過させる溝４２が配設された構造を有するガイド用パネル４１（４１ｂ）が配設され、方向を変えずに熱源機側に導かれている。
【００５１】
図７は、熱媒流通管ガイド用パネル２０を、第１分割溝３０で分割して第１パネル部Ｐ１と第２パネル部Ｐ２に分割し、第２パネル部Ｐ２を、第２分割溝４０（４０ｃ，４０ｅ）で分割して不要部分を除去したもの（第２パネル部Ｐ２）を用い、熱媒流通管２をパネル成形体１０のヘッダ３に接続した状態を示す図である。
【００５２】
この図７に示す接続態様の場合、係合部４３には、方形で、一辺側（第１の辺側）の導出端部から、該第１の辺と直交する辺側の導出端部に至るように、略９０゜方向が変わるような態様で熱媒流通管を通過させる溝（１／４円弧状の溝）４２が配設された構造を有するガイド用パネル４１（４１ａ）と、ガイド用パネル４１ａの一方辺側の導出端部から、一方辺と対向する対向辺側の導出端部まで、実質的に方向を変えないような態様で熱媒流通管を通過させる溝４２が配設された構造を有するガイド用パネル４１（４１ｂ）が組み合わせて使用されており、熱媒流通管２は、第２パネル部Ｐ２により９０゜左側に向きを変えた後、ガイド用パネル４１ａにより、さらに左上側に９０゜向きを変えて（すなわち全体で１８０°向きを変えて）熱源機側に導かれている。
【００５３】
また、図８は、熱媒流通管ガイド用パネル２０を、第１分割溝３０で分割して第１パネル部Ｐ１と第２パネル部Ｐ２に分割し、第２パネル部Ｐ２を、第２分割溝４０（４０ｄ）で分割して不要部分を除去したもの（第２パネル部Ｐ２）を用い、熱媒流通管２をパネル成形体１０のヘッダ３に接続した状態を示す図である。
【００５４】
この図８に示す接続態様の場合、係合部４３には、方形で、一辺側（第１の辺側）の導出端部から、該第１の辺と直交する辺側の導出端部に至るように、略９０゜方向が変わるような態様で熱媒流通管を通過させる溝（１／４円弧状の溝）４２が配設された構造を有するガイド用パネル４１（４１ａ）と、ガイド用パネル４１ａの一方辺側の導出端部から、一方辺と対向する対向辺側の導出端部まで、実質的に方向を変えないような態様で熱媒流通管を通過させる溝４２が配設された構造を有するガイド用パネル４１（４１ｂ）が組み合わせて使用されており、熱媒流通管２は、第２パネル部Ｐ２により９０゜左側に向きを変えた後、ガイド用パネル４１ａにより、さらに左下側に９０゜向きを変えることにより、ヘッダ３から左側に位置はずれたものの、方向はヘッダ３に接続される方向と同じ方向において（すなわち左側に寄っただけで、角度は変えずに）熱源機側に導かれている。
【実施例２】
【００５５】
図９は、本願発明の他の実施例（実施例２）にかかる熱媒流通管ガイド用パネル２０ａの構成を示す図である。
この熱媒流通管ガイド用パネル２０ａは、上記実施例１の熱媒流通管ガイド用パネル２０（図２）と左右が逆になった対称構造を有している。なお、図９において、図２と同一符号を付した部分は、同一または相当する部分を示している。
【００５６】
上記実施例１では、パネル成形体１０（図１参照）の左下コーナ部近傍に配設されたヘッダ３に熱媒流通管２を接続する場合を例にとって説明したが、図１０に示すように、パネル成形体１０ａの右下コーナ部近傍に配設されたヘッダ３に熱媒流通管２を接続する場合には、図２の熱媒流通管ガイド用パネル２０の左右が逆になった構成の熱媒流通管ガイド用パネル２０ａ（図９）を用いることにより、上記実施例１の場合と同様の方法で、熱媒流通管２をヘッド３に確実に接続することができるようになる。なお、図１０において、図１と同一符号を付した部分は、同一または相当する部分を示している。
【００５７】
なお、本願発明は、上記実施例１，２に限定されるものではなく、熱媒流通管の具体的な配設態様や、経路、熱媒流通管ガイド用パネルを構成するガイド用パネル本体の形状、構造、熱媒流通管ガイド用パネルと組み合わせて用いられる上述の他のガイド用パネルの具体的な構成や組み合わせ態様、パネル成形体を構成する成形体用パネル本体の、熱媒流通管ガイド用パネルを係合させる係合構造部の具体的な形状、成形体用パネル本体に組み込まれるヘッダの配設位置、ヘッダへの熱媒流通管の接続数などに関し、発明の範囲内において、種々の応用、変形を加えることが可能である。
【産業上の利用可能性】
【００５８】
上述のように、本願発明の熱媒流通管ガイド用パネルは、熱媒流通管を通過させる溝が一方辺側の導出端部から対向辺側の導出端部まで、実質的に方向を変えないように配設された第１パネル部と、熱媒流通管を通過させる溝が、一方辺側の導出端部と直交辺側の導出端部とで、略９０゜方向が変わるような態様で配設された第２パネル部を備え、熱媒流通管をパネル成形体に配設されたヘッダに導く態様に応じて第１パネル部と第２パネル部のうちのいずれか一方を選択して用いるように構成されているので、本願発明の熱媒流通管ガイド用パネルを用いて熱媒流通管を接続するようにした場合、接続方向を間違えたりすることなく、また、未使用の溝を埋める工程を必要とするとなく、熱媒流通管をヘッダに確実に導いて、容易に信頼性の高い床暖房パネルの施工を行うことが可能になる。
したがって、本願発明は、熱媒流通管をヘッダに接続する工程を経て施工される床暖房パネルに広く適用することが可能である。
【図面の簡単な説明】
【００５９】
【図１】本願発明の熱媒流通管ガイド用パネルが用いられる床暖房パネルの要部構成を示す平面図である。
【図２】本願発明の一実施例（実施例１）にかかる熱媒流通管ガイド用パネルを示す図であり、(ａ)は平面図、(ｂ)は矢印Ａの方向から見た側面図、(ｃ)は矢印Ｂの方向から見た側面図である。
【図３】本願発明の一実施例（実施例１）にかかる熱媒流通管ガイド用パネルを用いて熱媒流通管をパネル成形体のヘッダに接続する場合の接続態様を示す図である。
【図４】本願発明の一実施例（実施例１）にかかる熱媒流通管ガイド用パネルを用いて熱媒流通管をパネル成形体のヘッダに接続する場合の接続態様を示す図である。
【図５】本願発明の一実施例（実施例１）にかかる熱媒流通管ガイド用パネルを用いて熱媒流通管をパネル成形体のヘッダに接続する場合の接続態様を示す図である。
【図６】本願発明の一実施例（実施例１）にかかる熱媒流通管ガイド用パネルを用いて熱媒流通管をパネル成形体のヘッダに接続する場合の接続態様を示す図である。
【図７】本願発明の一実施例（実施例１）にかかる熱媒流通管ガイド用パネルを用いて熱媒流通管をパネル成形体のヘッダに接続する場合の接続態様を示す図である。
【図８】本願発明の一実施例（実施例１）にかかる熱媒流通管ガイド用パネルを用いて熱媒流通管をパネル成形体のヘッダに接続する場合の接続態様を示す図である。
【図９】本願発明の他の実施例（実施例２）にかかる熱媒流通管ガイド用パネルを示す平面図である。
【図１０】本願発明の実施例２にかかる熱媒流通管ガイド用パネルを用いて熱媒流通管が接続される床暖房パネルの要部構成を示す平面図である。
【図１１】熱源機に接続された熱媒流通管をヘッダに導くための従来の連絡管ガイド用パネルを示す図である。
【符号の説明】
【００６０】
１              成形体用パネル本体
２              熱媒流通管
２（２ａ）      往路用の熱媒流通管
２（２ｂ）      復路用の熱媒流通管
３              ヘッダ
４              接続部
５              切欠き部
６              凹部（パネル成形体側係合構造部）
１０            パネル成形体（温水パネル）
１０ａ          パネル成形体
１２            溝
２０            熱媒流通管ガイド用パネル
２０ａ          熱媒流通管ガイド用パネル
２１            ガイド用パネル本体
２１ａ          一方辺
２１ｂ          対向辺
２２            一対の溝（溝）
３０            分割溝（第１分割溝）
３１ａ          一方辺
３１ｂ          直交辺
３２            係合構造部（係合用突起）
４０（４０ａ，４０ｂ，４０ｃ，４０ｄ，４０ｅ）      第２分割溝
４１（４１ａ，４１ｂ）    他のガイド用パネル
４２            溝
４３            係合部（係合部として機能する凹部）
Ｐ１            第１パネル部
Ｐ２            第２パネル部
【図１】
2006098032.tif 000003
【図２】
2006098032.tif 000004
【図３】
2006098032.tif 000005
【図４】
2006098032.tif 000006
【図５】
2006098032.tif 000007
【図６】
2006098032.tif 000008
【図７】
2006098032.tif 000009
【図８】
2006098032.tif 000010
【図９】
2006098032.tif 000011
【図１０】
2006098032.tif 000012
【図１１】
2006098032.tif 000013